(57)【特許請求の範囲】
【請求項１】
正面に接続端子を突設したユニット本体に下枠をネジ止めし、前記下枠に、中央を開口させた外枠を装着する一方、前記外枠の開口に、前記接続端子の貫通部を有し、前記開口を閉塞可能な化粧板を配置したテレビジョン共聴用直列ユニットであって、
前記化粧板に、前記下枠のネジ止め部に位置し、装着状態での前記下枠と外枠との間に挟持される位置決め片を突設したことを特徴とするテレビジョン共聴用直列ユニット。
【請求項２】
前記位置決め片を、前記下枠のネジ止め部に用いられるネジが貫通するものとした請求項１に記載のテレビジョン共聴用直列ユニット。
【発明の詳細な説明】
【０００１】
【発明の属する技術分野】
本発明は、テレビジョン放送の共同受信を行うために、各部屋ごとの壁等に取り付けられるテレビジョン共聴用直列ユニットに関する。
【０００２】
【従来の技術】
従来のテレビジョン共聴用直列ユニット（以下「直列ユニット」と略称する）は、実用新案登録公報第２５３８７９９号に開示の構造が知られている。これは、接続端子を突設したユニット本体の上下に延設された各取付部を、壁内に埋め込み固定されたスイッチボックスに螺着すると共に、各取付部の前面に下枠をネジ止めし、更に取付部には、接続端子の貫通部を有し、下枠に装着される外枠の開口を閉塞可能な化粧板を嵌着するものである。
【０００３】
【発明が解決しようとする課題】
上記化粧板や下枠は、夫々別々にユニット本体の取付部に装着されるため、夫々のユニット本体への装着状態やユニット本体自体の螺着状態が悪いと、化粧板が外枠の開口にうまく嵌らないことがある。このため化粧板や下枠、ユニット本体等を夫々取り付け直す必要が生じて、取付作業が面倒になってしまう。
又、化粧板は、外枠の開口に嵌合しているのみで互いの関連はないから、偶発的な外力によって化粧板がユニット本体から外れ、外枠の開口から脱却する虞れもある。
【０００４】
そこで、請求項１に記載の発明は、化粧板を、下枠やユニット本体の装着状態に拘わりなく正確に取り付けでき、外枠からの脱却も効果的に防止できる直列ユニットを提供することを目的としたものである。
【０００５】
【課題を解決するための手段】
上記目的を達成するために、請求項１に記載の発明は、前記化粧板に、前記下枠のネジ止め部に位置し、装着状態での前記下枠と外枠との間に挟持される位置決め片を突設したことを特徴とするものである。
又、請求項２に記載の発明は、請求項１の目的に加えて、位置決め作用と装着時の信頼性とをより効果的に得るために、前記位置決め片を、前記下枠のネジ止め部に用いられるネジが貫通する構成としたものである。
【０００６】
【発明の実施の形態】
以下、本発明の実施の形態を図面に基づいて説明する。
図１は、直列ユニット１の分解説明図で、直列ユニット１は、壁内に埋め込まれるスイッチボックス４にネジ止めされるユニット本体２と、ユニット本体２に装着される化粧板３とを備え、更にユニット本体２には、下枠５及び外枠６とが夫々装着される。
スイッチボックス４は、前面に開口部７を形成した函体で、この開口部７が壁に形成された取付孔８を通して開放するように、例えば柱９の側面等にネジ止めされる。又、内壁の上下には、ユニット本体２の取付用のネジ止めボス１０，１０が夫々形成されている。
次に、ユニット本体２は、鉄板（他に黄銅板やダイカストケース等、導電性を有する材料）を板金加工で打抜き、折曲げ形成してなる縦板部１１の後面（壁側）に、例えばＢＳ直列ユニット回路の回路素子を実装しスイッチボックス４内に引き出されたケーブル１２を接続するプリント基板（図示せず）を装備する一方、前面には、２つのＦ型端子１３，１３を突設している。又、縦板部１１の上下には、Ｔ字状の壁への取付部１４，１４が対称に延設され、各取付部１４には、スイッチボックス４のネジ止めボス１０，１０と上下位置を合わせた横長の長孔１５及び、下枠５の取付用のネジ孔１６が夫々穿設されている。更に、１７は、縦板部１１の前面中央に固定されるＡＢＳ樹脂製（絶縁材料であれば他の合成樹脂でも可）のベースで、その前面下縁には、突起１８が、両側縁には、図２（Ａ）にも示すように、前面が壁側へ向かって傾斜する案内面２０を夫々形成した係止爪１９，１９が夫々一対ずつ突設されている。尚、１７ａ，１７ａは、左右対称に形成され、小さい化粧板の装着に用いられる段部で、１７ｂ，１７ｂ・・は、夫々ベース１７の上下端から側方へ左右対称に延設されるガイド片である。
又、上記ユニット本体２は、合成樹脂で成形されたものでも良い。
【０００７】
又、下枠５は、中央に長方形の開口２１が穿設されると共に、上下にユニット本体２の取付部１４のネジ孔１６に合わせた透孔２２が夫々穿設され、ネジ２３，２３によるユニット本体２への螺着が可能となっている。更に、両側縁には、外枠６の装着孔２４，２４・・が形成されている。
そして、化粧板３は、外枠６の開口６ａを閉塞可能な表板２５の上下端に、後方へＬ字状に突設される位置決め片２６，２６を夫々備え、各位置決め片２６の表板２５と平行な先端には、下枠５を螺着するネジ２３の頭部に合致する湾曲部２７を形成している。又、化粧板３の裏面には、図２（Ａ）にも示す如く、ベース１７の幅と等しい間隔で一対の取付片２８，２８が平行に形成されており、各取付片２８の突出した２箇所の先端部分には、ベース１７の係止爪１９，１９が係止可能な係止孔２９，２９が夫々穿設されている。この係止孔２９は、取付片２８の先端側の壁面が、外方から内方へ行くに従って先端側へ向かう傾斜面３０となっている。尚、３１，３１は、Ｆ型端子１３，１３が夫々貫通して表板２５の前面に露出する貫通筒で、２８ａ，２８ａ・・は、夫々各取付片２８，２８の上下端から外方へ直角に折曲形成されたストッパ片である。
一方、外枠６は、下枠５に重ね合わされる同形状を呈すると共に、ユニット本体２の縦板部１１の前面を露出可能な開口６ａを有し、その裏面で下枠５の装着孔２４，２４・・との対応位置には、夫々抜け止め３３を形成した弾性片３２，３２・・が後方へ向けて突設されている。
尚、下枠５、外枠６は共にＡＢＳ樹脂製であるため、化粧板３も同じＡＢＳ樹脂製となっている。このように化粧板３は下枠５や外枠６と同じ材質とするのが望ましい。又、着脱に伴う弾性もある程度必要なため、化粧板３はこのような合成樹脂製とするのが望ましい。
【０００８】
以上の如く構成された直列ユニット１は、まずユニット本体２の取付部１４，１４を、夫々長孔１５を貫通するネジ３４とスイッチボックス４のネジ止めボス１０とによって螺着すると共に、夫々ネジ孔１６に下枠５をネジ止めする。次に、化粧板３を、取付片２８，２８の先端を夫々ベース１７左右の係止爪１９，１９にあてがって後方へ押し込めば、図２（Ａ）に実線で示す如く、取付片２８，２８の先端が係止爪１９，１９の案内面２０，２０にガイドされ、弾性により夫々外方へ広がる。尚、取付片２８，２８の先端は案内面２０に沿った傾斜状に形成されているため、取付片２８，２８の係止爪１９，１９への乗り上げはスムーズになされる。又、ベース１７の左右のガイド片１７ｂ，１７ｂは、上下の間隔が、装着される取付片２８，２８の先端が丁度嵌り込む寸法に設定されているため、ガイド片１７ｂ，１７ｂにガイドされて、取付片２８，２８の組付けが容易となる上、化粧板３の上下の位置決めもしやすくなる。
ここから化粧板３を更に押し込むと、同図（Ｂ）の如く、係止孔２９，２９が夫々係止爪１９，１９と嵌合して取付片２８，２８が互いに平行に復帰すると共に、係止爪１９，１９が傾斜面３０，３０へ夫々係止する。同時に、取付片２８，２８に設けた各ストッパ片２８ａが、夫々ベース１７の各ガイド片１７ｂに当接してそれ以上の押込みが規制され、化粧板３がユニット本体２に装着される。又、各ストッパ片２８ａによって外力に対する保護も得られる。
こうして装着が完了すれば、容易に外れることはなく、装着時の信頼性も高い。そして最後に、外枠６は、弾性片３２，３２・・を下枠５の装着孔２４，２４・・に嵌め込めば、下枠５と外枠６との間で化粧板３が固定され、直列ユニット１の組付けは完了する。
この化粧板３の装着の際、ユニット本体２の取付位置に誤差があったり、係止爪１９や係止孔２９等が破損したりして、化粧板３とユニット本体２との装着が不完全であっても、図３のように位置決め片２６，２６をネジ２３，２３に合わせれば、下枠５及び外枠６に対する取付位置は正確に得られる。又、位置決め片２６，２６は、外枠６が装着されると、夫々下枠５と外枠６とで挟まれる格好となるため、化粧板３の前後方向の脱却防止作用も得られる。勿論、Ｌ字状の形状により、位置決め片２６，２６が外枠６の取付の邪魔になることはない。
【０００９】
このように本形態によれば、ユニット本体２の係止爪１９と化粧板３の係止孔２９との簡単な構造によって、縦板部１１の中央部で化粧板３を装着することができるため、スイッチボックス４へネジ止めしたユニット本体２にたわみ等が生じるようなことがあっても、これに影響されることなく確実に装着できる。又、係止孔２９の傾斜面３０によって取り外しも容易となる。
特に先述の如く、化粧板３においては、簡単な位置決め片２６，２６の採用により、ユニット本体２への装着に不具合があっても、ネジ２３，２３を利用して下枠５と外枠６との間での位置決めは正確になされるため、修正に手間取ることがなく、常に外枠６等に対する正確な取付が可能となる。又、位置決め片２６，２６が下枠５と外枠６との間に挟まれることで、両枠との連係が生じ、一体化が図られるため、偶発的な外力による両枠からの脱却を効果的に防止できるのである。
【００１０】
ちなみに、上記形態の如く、ユニット本体２に２本のＦ型端子１３，１３が設けられるタイプにおいて、一方のＦ型端子１３が、ブースターやコンバーターを作動させるための電源を、同軸ケーブルを利用して供給する電流通過タイプである場合、化粧板３の表面や貫通筒３１の表側の凹部に、着色やマーク等による識別表示が予め講じられているため、化粧板３の装着の際は、この識別表示を実際のＦ型端子１３側に正確に合わせる必要がある。よってここでは、化粧板３の裏面の一方の貫通筒３１の側方に、ベース１７の下端部に突設した突起１８と当接する干渉壁３５を夫々設けて、化粧板３の上下の向きが間違っている場合、突起１８と干渉壁３５との当接により装着が行えないようにしている。従って、常に突起１８と干渉壁３５とが当接しない正確な位置で化粧板３の装着が可能となる。
【００１１】
尚、位置決め片２６，２６は、上記形態の形状に限らず適宜変更可能で、例えば図４の如く、ネジ２３，２３が夫々貫通する透孔３６，３６を備えた位置決め片３７，３７とすれば、より正確な位置決めが可能となると共に、ネジ止めにより装着時の信頼性も高くなる。又、例えば、表板２５の肉厚が厚いものであれば、その表板２５の上下面から表板２５に平行な先端部分のみを立ち上げ成形する等、位置決めが可能で、外枠６の取付の邪魔にならないものであれば、上記Ｌ字状に限定しない。
又、ここでは、化粧板３はユニット本体２に対して完全に着脱する形態で説明しているが、従来技術で説明した公報の如く、小さい化粧板をユニット本体２に固着し、その固定された小さい化粧板に化粧板３と外形が同じ枠状の化粧板を着脱する構成であっても、その枠体に上記位置決め片２６，２６を形成すれば、上記形態と同じ位置決め効果が得られる。
更に、ここではユニット本体２に２つのＦ型端子１３，１３が設けられる直列ユニット１で説明したが、同じ縦板部１１にＦ型端子１３が１つ設けられるタイプでも本発明は適用可能である。又、ベース１７のガイド片１７ａや、これに対応して設けられる化粧板３のストッパ片２８ａは省略することができる。
【００１２】
【発明の効果】
請求項１に記載の発明によれば、化粧板に前記位置決め片を設ける簡単な構成により、ユニット本体や下枠等の装着に誤差があっても、下枠と外枠との間での位置決めは正確になされるため、修正に手間取ることがなく、常に外枠等に対する化粧板の正確な装着が可能となる。又、位置決め片が下枠と外枠との間に挟まれることで、両枠との連係が生じ、一体化が図られるため、偶発的な外力による両枠からの脱却も効果的に防止できる。
請求項２に記載の発明によれば、請求項１の効果に加えて、前記位置決め片を前記下枠のネジ止め部に用いられるネジが貫通するものとしたことで、前記位置決めがより簡単に行えると共に、下枠と外枠への一体化もより高まり、装着時の信頼性が向上する。
【図面の簡単な説明】
【図１】直列ユニットの組立て説明図である。
【図２】（Ａ）化粧板の係止作用を示す説明図である。
（Ｂ）化粧板の係止作用を示す説明図である。
【図３】化粧板の装着状態を示す説明図である。
【図４】位置決め片の変更例の説明図である。
【符号の説明】
１・・直列ユニット、２・・ユニット本体、３・・化粧板、４・・スイッチボックス、５・・下枠、６・・外枠、１１・・縦板部、１３・・Ｆ型端子、１４・・取付部、１７・・ベース、１８・・突起、１９・・係止爪、２０・・案内面、２６，３７・・位置決め片、２９・・係止孔、３０・・傾斜面、３５・・干渉壁。
【図１】
0003936049.tif 000002
【図２】
0003936049.tif 000003
【図３】
0003936049.tif 000004
【図４】
0003936049.tif 000005